(57)【要約】【課題】  本考案は、多数の種類の合鍵を複製しうる竪型合鍵複製機において、オリジナルキー挟持部とキーブランク挟持部との相互間隔を極力狭くして合鍵複製の精度を高めることを課題とする。【解決手段】  基台１の上面に第１ハンドル２で前後左右に移動可能とされた可動台３の両側部に、オリジナルキー挟持部４とキーブランク挟持部５とが設けられ、基台１の背後に立設された塔状部６の上部にバネ８を介して上下動可能の可動板９が設けられる。可動板９の上下動はハンドル10の操作で行われ、これに伴い倣う軸棒13ａでオリジナルキーを倣い作用と切削用工具付き軸部材18でキーブランクを切削する作用とが行われる。倣い治具ブロック13は傾斜しているので、両挟持部４，５の間隔を狭くし、合鍵複製の精度が高められる。【選択図】          図１
0003103889.tif 000002
【実用新案登録請求の範囲】
【請求項１】
基台上の水平面に沿い第１ハンドルの操作により前後方向および左右方向へ自在に移動可能に搭載された可動台と、同可動台上において両側部にそれぞれ設けられたキーブランク挟持部およびオリジナルキー挟持部と、上記基台の後部に立設固定された塔状部と、同塔状部の上部に同塔状部と一体に設けられたケーシングと、同ケーシング内に水平に設けられた固定板と、同固定板の上方にバネを介して上下動可能に配設された可動板と、同可動板を第２ハンドルの操作により上記バネに抗して降下させる可動板駆動機構と、上記可動板の一側部から垂下されて上記固定板を貫通する倣い治具用昇降軸と、同倣い治具用昇降軸の下端に装着されて複数のオリジナルキー倣い用軸棒のうちの１つを選択的に鉛直下方へ向け位置決め可能に支持しうる倣い治具ブロックと、上記可動板の他側部から垂下されて上記固定板を貫通する工作用昇降軸と、同工作用昇降軸に同心的に嵌挿されてモーターにより回転駆動される作動回転軸と、上記塔状部の中間部から前方へ突設された固定アームと、同固定アームに支持され水平面内でクリック作動により回動調整される円形部材と、同円形部材の周縁部に形成された複数の鉛直貫通孔に挿通されて上記作動回転軸との係合によりバネに抗して選択的に下方へ押圧され回転駆動される複数のキーブランク切削用工具付き軸部材とを備え、上記倣い治具ブロックが、倒立截頭円錐体を水平面から所定角度傾斜させた状態で回動調整可能に支持するとともに、同倒立截頭円錐体の周面から突設された上記複数のオリジナルキー倣い用軸棒を選択的に鉛直下方へ向けて保持可能に備えたことを特徴とする、竪型合鍵複製機。
【請求項２】
上記所定角度が６０度に設定されていることを特徴とする、請求項１に記載の竪型合鍵複製機。
【請求項３】
基台上の水平面に沿い第１ハンドルの操作により前後方向および左右方向へ自在に移動可能に搭載された可動台と、同可動台上において両側部にそれぞれ設けられたキーブランク挟持部およびオリジナルキー挟持部と、上記基台の後部に立設固定された塔状部と、同塔状部の上部に同塔状部と一体に設けられたケーシングと、同ケーシング内に水平に設けられた固定板と、同固定板の上方にバネを介して上下動可能に配設された可動板と、同可動板を第２ハンドルの操作により上記バネに抗して降下させる可動板駆動機構と、上記可動板の左端部から垂下されて上記固定板を貫通する倣い治具用昇降軸と、同倣い治具用昇降軸の下端に装着されて複数のオリジナルキー倣い用軸棒のうちの１つを選択的に鉛直下方へ向け位置決め可能に支持しうる倣い治具ブロックと、上記可動板の他側部から垂下されて上記固定板を貫通する工作用昇降軸と、同工作用昇降軸に同心的に嵌挿されてモーターにより回転駆動される作動回転軸と、上記塔状部の中間部から前方へ突設された固定アームと、同固定アームに支持され水平面内でクリック作動により回動調整される円形部材と、同円形部材の周縁部に形成された複数の鉛直貫通孔に挿通されて上記作動回転軸との係合によりバネに抗して選択的に下方へ押圧され回転駆動される複数のキーブランク切削用工具付き軸部材とを備え、上記円形部材がウオームホイールとして回動調整されるべく周面に歯型を形成されるとともに、同歯型に噛み合い水平に配設されたウオームが上記塔状部の前面に突設された一対のアームに回転可能に軸支されて、同ウオームの支軸の回動制御機構が設けられたことを特徴とする、竪型合鍵複製機。
【請求項４】
上記ウオームの支軸の回動制御機構が、同支軸と直角をなす手動操作レバーとしてのノブ付き第３ハンドルとして構成されたことを特徴とする、請求項３に記載の竪型合鍵複製機。
【考案の詳細な説明】
【技術分野】
【０００１】
本考案は、オリジナルキーに倣ってキーブランクを切削加工することにより合鍵を複製できるようにした合鍵複製機に関し、特に全体構成を竪型にして多種類のキーブランク切削用工具を具備できるようにした竪型合鍵複製機に関する。
【背景技術】
【０００２】
従来、オリジナルキーとキーブランクとの各クランプ部を前後に配置して全体構造の横幅の縮小による作業スペースへの適応を図りながら、各クランプ部におけるオリジナルキーおよびキーブランクの各位置決め部材の相互連動による操作性の向上を図った合鍵複製機が開発されているが、多種類のオリジナルキーに対応した切削工具を選択可能に具えるためには、塔状部を有する竪型の合鍵複製機が好ましい。
【０００３】
この種の竪型合鍵複製機としては、図４に示すようなものが開発されており、基台１上の水平面に沿い第１ハンドル２の操作により前後方向および左右方向へ自在に移動可能の可動台３が設けられている。そして、可動台３上において、左右にそれぞれネジ締付け方式のオリジナルキー挟持部４およびキーブランク挟持部５が設けられている。また基台１の後部に立設固定された塔状部６の上部には、ケーシング７が同塔状部６と一体に設けられている。
【０００４】
さらに、ケーシング７内に水平に設けられた固定板７ａの上方に、バネ８を介して上下動可能の可動板９が水平に設けられ、同可動板９をバネ８に抗して降下させうる第２ハンドル10付き可動板駆動機構11が、可動板９の右側部から一体に垂下された工作用昇降軸11ａの背面に形成されている図示しないラックと、同ラックに噛み合う図示しないピニオンを有して第２ハンドル10により回動操作される水平軸11ｂとを備えて構成されている。
【０００５】
また、可動板９の左側部から垂下されて固定板７ａを貫通する倣い治具用昇降軸12の下端には、前後方向の水平軸13ｂを中心として回動しうる円形の倣い治具ブロック13が、その周縁部に突設された多数の種類の倣い軸棒13ａの１つを選択的に鉛直下方へ向けて保持できるように設けられており、同ブロック13の回動位置の固定は、ノブ付き締付けネジ14により行われる。
【０００６】
さらに、工作用昇降軸11ａと同心的に且つ回動自在に嵌挿された作動回転軸15が、モーター16によりベルト式動力伝達機構17を介して回転駆動されるように構成されており、作動回転軸15の降下に伴い、その下端の六角穴15ａに係合しうる六角型頭部18ａを備えたキーブランク切削用工具付き軸部材18が、バネ19に抗してキーブランク挟持部５における図示しないキーブランクを切削すべく降下するようになっている。
【０００７】
そして、種類の異なる複数の切削用工具付き軸部材18が、塔状部６の中間部から前方へ突設された図示しない固定アームに支持され水平面内でクリック作動により回動調整される水平円形部材20の周縁部において、複数の鉛直貫通孔にそれぞれ挿通されバネ19により保持されている。また、所要の切削用工具付き軸部材18をキーブランク挟持部５の直上へ位置させるための調整は、水平円形部材20の周縁部に形成された多数の係合穴の２つにレバー21の先端の二又状屈曲部を係合させて回動操作を行うことにより達成されるようになっている。
【０００８】
このような竪型合鍵複製機によれば、左手による第１ハンドル２の操作と右手による第２ハンドル10の操作とにしたがって、オリジナルキー挟持部４におけるオリジナルキーを所要の倣い軸棒13ａで倣わせながら、同時にキーブランク挟持部５において所要の切削工具付き軸部材18によるキーブランクの切削加工を行うことができる。
【０００９】
ところで、上述の従来の竪型合鍵複製機では、円形の倣い治具ブロック13が、その周縁部から放射状に配置された倣い軸棒13ａを備えるようにして前後方向の水平軸13ｂに枢着されるため、切削用工具付き軸部材18を支持する水平円形部材20との干渉を回避できるように倣い治具ブロック13を配置すると、必然的にオリジナルキー挟持部４とキーブランク挟持部５との相互間隔が大きくなり、これに伴い合鍵複製の精度の低下を招くという不具合がある。
【００１０】
また、切削用工具付き軸部材18を支持する水平円形部材20のクリック作動を伴う回動調整により所要の切削用工具付き軸部材18を作動回転軸15の直下へ配置する操作が、レバー21を介して行われるのでは、かなりの腕力を必要とするという不具合もある。
【特許文献１】特開平１０−２９６５８１号公報
【考案の開示】
【考案が解決しようとする課題】
【００１１】
本考案は、多数の種類の合鍵を複製しうる竪型合鍵複製機において、オリジナルキー挟持部とキーブランク挟持部との相互間隔を極力狭くして合鍵複製の精度を高めることを課題とする。
【００１２】
また、本考案は、上述のような竪型合鍵複製機において、多種類の切削用工具付き軸部材を支持する水平円形部材の回動位置の調整を、簡便な操作で容易に行えるようにすることを課題とする。
【課題を解決するための手段】
【００１３】
前述の課題を解決するため、本考案の竪型合鍵複製機は、基台上の水平面に沿い第１ハンドルの操作により前後方向および左右方向へ自在に移動可能に搭載された可動台と、同可動台上において両側部にそれぞれ設けられたキーブランク挟持部およびオリジナルキー挟持部と、上記基台の後部に立設固定された塔状部と、同塔状部の上部に同塔状部と一体に設けられたケーシングと、同ケーシング内に水平に設けられた固定板と、同固定板の上方にバネを介して上下動可能に配設された可動板と、同可動板を第２ハンドルの操作により上記バネに抗して降下させる可動板駆動機構と、上記可動板の一側部から垂下されて上記固定板を貫通する倣い治具用昇降軸と、同倣い治具用昇降軸の下端に装着されて複数のオリジナルキー倣い用軸棒のうちの１つを選択的に鉛直下方へ向け位置決め可能に支持しうる倣い治具ブロックと、上記可動板の他側部から垂下されて上記固定板を貫通する工作用昇降軸と、同工作用昇降軸に同心的に嵌挿されてモーターにより回転駆動される作動回転軸と、上記塔状部の中間部から前方へ突設された固定アームと、同固定アームに支持され水平面内でクリック作動により回動調整される円形部材と、同円形部材の周縁部に形成された複数の鉛直貫通孔に挿通されて上記作動回転軸との係合によりバネに抗して選択的に下方へ押圧され回転駆動される複数のキーブランク切削用工具付き軸部材とを備え、上記倣い治具ブロックが、倒立截頭円錐体を水平面から所定角度傾斜させた状態で回動調整可能に支持するとともに、同倒立截頭円錐体の周面から突設された上記複数のオリジナルキー倣い用軸棒を選択的に鉛直下方へ向けて保持可能に備えたことを特徴としている。
【００１４】
そして、上記所定角度が６０度に設定されていることを特徴としている。
【００１５】
また、本考案の竪型合鍵複製機は、基台上の水平面に沿い第１ハンドルの操作により前後方向および左右方向へ自在に移動可能に搭載された可動台と、同可動台上において両側部にそれぞれ設けられたキーブランク挟持部およびオリジナルキー挟持部と、上記基台の後部に立設固定された塔状部と、同塔状部の上部に同塔状部と一体に設けられたケーシングと、同ケーシング内に水平に設けられた固定板と、同固定板の上方にバネを介して上下動可能に配設された可動板と、同可動板を第２ハンドルの操作により上記バネに抗して降下させる可動板駆動機構と、上記可動板の左端部から垂下されて上記固定板を貫通する倣い治具用昇降軸と、同倣い治具用昇降軸の下端に装着されて複数のオリジナルキー倣い用軸棒のうちの１つを選択的に鉛直下方へ向け位置決め可能に支持しうる倣い治具ブロックと、上記可動板の他側部から垂下されて上記固定板を貫通する工作用昇降軸と、同工作用昇降軸に同心的に嵌挿されてモーターにより回転駆動される作動回転軸と、上記塔状部の中間部から前方へ突設された固定アームと、同固定アームに支持され水平面内でクリック作動により回動調整される円形部材と、同円形部材の周縁部に形成された複数の鉛直貫通孔に挿通されて上記作動回転軸との係合によりバネに抗して選択的に下方へ押圧され回転駆動される複数のキーブランク切削用工具付き軸部材とを備え、上記円形部材がウオームホイールとして回動調整されるべく周面に歯型を形成されるとともに、同歯型に噛み合い水平に配設されたウオームが上記塔状部の前面に突設された一対のアームに回転可能に軸支されて、同ウオームの支軸の回動制御機構が設けられたことを特徴としている。
【００１６】
さらに、本考案の竪型合鍵複製機は、上記ウオームの支軸の回動制御機構が、同支軸と直角をなす手動操作レバーとしてのノブ付き第３ハンドルとして構成されたことを特徴としている。
【考案の効果】
【００１７】
本考案の竪型合鍵複製機では、倣い治具ブロックが、倒立截頭円錐体を水平面から所定角度傾斜させた状態で回転可能に支持して、その円錐面から複数のオリジナルキー倣い用軸棒が突設されるので、従来の前後方向の水平軸を中心として回動しうる円形の倣い治具ブロックの周縁部から複数のオリジナルキー倣い用軸棒を突設した竪型合鍵複製機の場合と比べて、オリジナルキー挟持部をキーブランク挟持部へ著しく接近させることができ、これにより合鍵複製の精度を大幅に向上させることができる。
【００１８】
そして、上記所定角度が６０度に設定されると、上記倣い治具ブロックに多数（例えば１２本）のオリジナルキー倣い用軸棒を整然とした状態で突設させることができる。
【００１９】
また、周縁部に形成された複数の鉛直貫通孔にキーブランク切削用工具付き軸部材を有する円形部材が、周面に歯型を形成されて、同歯型と噛み合うウオームを備えた支軸の回動制御機構が設けられる場合は、同回動制御機構を上記支軸に連係するモーター駆動制御系などとして操作の簡便化を図ることができる。
【００２０】
さらに、上記支軸の外端に同支軸と直角をなすノブ付き回転操作レバーとしての第３ハンドルを設ける構成では、構造の簡素化を図りながら、上記第３ハンドルの操作により、上記キーブランク切削用工具付き軸部材の選択が著しく簡便に行われるようになる利点が得られる。
【考案を実施するための最良の形態】
【００２１】
本考案の竪型合鍵複製機において、倣い治具ブロックが、倒立截頭円錐体を水平面から６０度傾斜させた状態で回転可能に支持するとともに、同倒立截頭円錐体の周面から突設された１２種類のオリジナルキー倣い用軸棒を選択的に鉛直下方へ向けて保持可能に備えることにより、装置全体として使い勝手のよいサイズで、オリジナルキーの豊富なバリエーションに対応させて合鍵を複製することができる。
【００２２】
また、前記複数のキーブランク切削用工具付き軸部材を保持する水平な円形部材が、ウオームホイールとして回動調整されるように周面に歯型を形成されて、同歯型に噛み合う水平なウオームの支軸の回動制御機構が設けられると、従来のレバーによる上記円形部材の回動操作の場合と比べて、ウオームギヤとしてのギヤ比に応じ操作が著しく簡易化されるようになる。
【００２３】
そして、上記回動制御機構としては、上記ウオームの支軸に連係するモーター駆動制御系を設けることもできるが、上記支軸の回動制御機構が、同支軸と直角をなす手動操作レバーとしてのノブ付き第３ハンドルで構成されると、簡単な機構で操作の容易なキーブランク切削工具付き軸部材の選択手段を実現することができる。
【００２４】
このようにして、上記の倣い治具ブロックと、キーブランク切削用工具付き軸部材を保持する円形部材との相互間隔を従来のものよりも著しく縮小させることができ、これによりオリジナルキー挟持部およびキーブランク挟持部の相互間隔も縮小させることができるので、合鍵複製の精度が大幅に高められるようになり、しかも１２種類の合鍵複製に対応できるようになる。
【実施例】
【００２５】
図１は本考案の一実施例としての竪型合鍵複製機の正面図、図２は図１のＡ−Ａ矢視拡大図、図３は図１のＢ−Ｂ矢視拡大図である。
【００２６】
図１に示すように、本実施例の竪型合鍵複製機も、基台１上の水平面に沿い第１ハンドル２の操作により前後方向および左右方向へ自在に移動可能の可動台３が設けられている。そして、可動台３上において、左右にそれぞれネジが締付け方式のオリジナルキー挟持部４およびキーブランク挟持部５が設けられている。また基台１の後部に立設固定された塔状部６の上部には、ケーシング７が同塔状部６と一体に設けられている。
【００２７】
さらに、ケーシング７内に水平に設けられた固定板７ａの上方に、バネ８を介して上下動可能の可動板９が水平に設けられ、同可動板９をバネ８に抗して降下させうる第２ハンドル10付き可動板駆動機構11が、可動板９の右側部から一体に垂下された工作用昇降軸11ａの背面に形成されている図示しないラックと、同ラックに噛み合う図示しないピニオンを有して第２ハンドル10により回動操作される水平軸11ｂとを備えて構成されている。
【００２８】
また、本実施例では、可動板９の左側部から垂下されて固定板７ａを貫通する倣い治具用昇降軸12の下端に、円形の倣い治具ブロック13が支持されているが、同ブロック13は、倒立截頭円錐体13ｐを水平面から所定角度α（本実施例では６０度）傾斜させた状態でクリック作動により回転可能に支持するとともに、同倒立截頭円錐体13ｐの周面から突設された１２種類のオリジナルキー倣い用軸棒13ａの１つを選択的に鉛直下方へ向けて保持可能に備えている。
【００２９】
そして、倒立截頭円錐体13ｐの所要の回動位置での固定は、締付けネジ13ｄ（図２参照）により行われる。
【００３０】
さらに、工作用昇降軸11ａと同心的に且つ回動自在に嵌挿された作動回転軸15が、モーター16によりベルト式動力伝達機構17を介して回転駆動されるように構成されており、作動回転軸15の降下に伴い、その下端の六角穴15ａに係合しうる六角型頭部18ａを備えたキーブランク切削用工具付き軸部材18が、バネ19に抗してキーブランク挟持部５における図示しないキーブランクを切削すべく降下するようになっている。
【００３１】
また、種類の異なる１２本の切削用工具付き軸部材18を周縁部にバネ19を介して嵌挿保持する円形部材20が、図３に示すように、塔状部６の中間部から前方へ突設された固定アーム22により水平に支持されて、水平面内でクリック作動により回動調整されるようになっている。
【００３２】
そして、円形部材20がウオームホイールとして回動調整されるように周面に歯型を形成されるとともに、同歯型に噛み合い水平横方向に配設されたウオーム23が塔状部６の前面に突設された一対のアーム24に回転可能に軸支されており、同ウオーム23の回動制御機構として、同ウオーム23の支軸25と直角をなす手動操作レバーとしてのノブ26ａ付き第３ハンドル26が設けられている。
【００３３】
上述の本実施例の竪型合鍵複製機では、倣い治具ブロック13が、倒立截頭円錐体13ｐを水平面から所定角度αだけ傾斜させた状態で回転可能に支持して、その円錐面から複数のオリジナルキー倣い用軸棒13ａが突設されるので、従来の前後方向の水平軸13ｂを中心として回動しうる円形の倣い治具ブロック13の周縁部から複数のオリジナルキー倣い用軸棒13ａを突設した竪型合鍵複製機の場合と比べて、オリジナルキー挟持部４をキーブランク挟持部５へ著しく接近させることができ、これにより合鍵複製の精度を大幅に向上させることができる。
【００３４】
そして、上記所定角度αが６０度に設定されると、倣い治具ブロック13に多数（例えば１２本）のオリジナルキー倣い用軸棒13ａを整然とした状態で突設させることができる。  
【００３５】
また、周縁部に形成された複数の鉛直貫通孔にキーブランク切削用工具付き軸部材18を有する円形部材20が、周面に歯型を形成されて、同歯型と噛み合うウオーム23を備えた支軸25の回動制御機構が設けられるので、同回動制御機構を上記支軸に連係するモーター駆動制御系などとして操作の簡便化を図ることができる。
【００３６】
さらに、支軸25の外端に同支軸25と直角をなす回転操作レバーとしてのノブ26ａ付き第３ハンドル26を設ける構成により、構造の簡素化を図りながら、第３ハンドル26の操作を介し、キーブランク切削用工具付き軸部材18の選択が著しく簡便に行われるようになる利点が得られる。
【産業上の利用可能性】
【００３７】
本考案の竪型合鍵複製機は、その底面積を小さくしながら、多種類の合鍵複製に使用できるので、合鍵複製の専門店では、店内への設置が効率よく行われるようになる。
【図面の簡単な説明】
【００３８】
【図１】本考案の一実施例としての竪型合鍵複製機の正面図である。
【図２】図１のＡ−Ａ矢視拡大図である。
【図３】図１のＢ−Ｂ矢視拡大図である。
【図４】従来の竪型合鍵複製機の正面図である。
【符号の説明】
【００３９】
１  基台
２  第１ハンドル
３  可動台
４  オリジナルキー挟持部
５  キーブランク挟持部
６  塔状部
７  ケーシング
７ａ  固定板
８  バネ
９  可動板
10  第２ハンドル
11  可動板駆動機構
11ａ  工作用昇降軸
11ｂ  水平軸
12  倣い治具用昇降軸
13  オリジナルキー倣い用治具ブロック
13ａ  倣い軸棒
13ｂ  水平軸
13ｄ  締付けネジ
13ｐ  倒立截頭円錐体
14  ノブ付き締付けネジ
15  作動回転軸
15ａ  六角穴  
16  モーター
17  ベルト式動力伝達機構
18  切削用工具付き軸部材
18ａ  六角型頭部
19  バネ
20  円形部材
21  レバー
22  固定アーム
23  ウオーム
24  アーム
25  支軸
26  第３ハンドル
26ａ  ノブ
【図１】
0003103889.tif 000003
【図２】
0003103889.tif 000004
【図３】
0003103889.tif 000005
【図４】
0003103889.tif 000006
【手続補正書】
【提出日】平成16年4月21日(2004.4.21)
【手続補正１】
【補正対象書類名】実用新案登録請求の範囲
【補正対象項目名】全文
【補正方法】変更
【補正の内容】
【実用新案登録請求の範囲】
【請求項１】
基台上の水平面に沿い第１ハンドルの操作により前後方向および左右方向へ自在に移動可能に搭載された可動台と、同可動台上において両側部にそれぞれ設けられたキーブランク挟持部およびオリジナルキー挟持部と、上記基台の後部に立設固定された塔状部と、同塔状部の上部に同塔状部と一体に設けられたケーシングと、同ケーシング内に水平に設けられた固定板と、同固定板の上方にバネを介して上下動可能に配設された可動板と、同可動板を第２ハンドルの操作により上記バネに抗して降下させる可動板駆動機構と、上記可動板の一側部から垂下されて上記固定板を貫通する倣い治具用昇降軸と、同倣い治具用昇降軸の下端に装着されて複数のオリジナルキー倣い用軸棒のうちの１つを選択的に鉛直下方へ向け位置決め可能に支持しうる倣い治具ブロックと、上記可動板の他側部から垂下されて上記固定板を貫通する工作用昇降軸と、同工作用昇降軸に同心的に嵌挿されてモーターにより回転駆動される作動回転軸と、上記塔状部の中間部から前方へ突設された固定アームと、同固定アームに支持され水平面内でクリック作動により回動調整される円形部材と、同円形部材の周縁部に形成された複数の鉛直貫通孔に挿通されて上記作動回転軸との係合によりバネに抗して選択的に下方へ押圧され回転駆動される複数のキーブランク切削用工具付き軸部材とを備え、上記倣い治具ブロックが、倒立截頭円錐体を水平面から所定角度傾斜させた状態で回動調整可能に支持するとともに、同倒立截頭円錐体の周面から突設された上記複数のオリジナルキー倣い用軸棒を選択的に鉛直下方へ向けて保持可能に備えたことを特徴とする、竪型合鍵複製機。
【請求項２】
上記所定角度が６０度に設定されていることを特徴とする、請求項１に記載の竪型合鍵複製機。
【請求項３】
上記円形部材がウオームホイールとして回動調整されるべく周面に歯型を形成されるとともに、同歯型に噛み合い水平に配設されたウオームが上記塔状部の前面に突設された一対のアームに回転可能に軸支されて、同ウオームの支軸の回動制御機構が設けられたことを特徴とする、請求項１または２に記載の竪型合鍵複製機。
【請求項４】
上記ウオームの支軸の回動制御機構が、同支軸と直角をなす手動操作レバーとしてのノブ付き第３ハンドルとして構成されたことを特徴とする、請求項３に記載の竪型合鍵複製機。
【手続補正２】
【補正対象書類名】明細書
【補正対象項目名】００１５
【補正方法】変更
【補正の内容】
【００１５】
また、本考案の竪型合鍵複製機は、上記円形部材がウオームホイールとして回動調整されるべく周面に歯型を形成されるとともに、同歯型に噛み合い水平に配設されたウオームが上記塔状部の前面に突設された一対のアームに回転可能に軸支されて、同ウオームの支軸の回動制御機構が設けられたことを特徴としている。